(57)【要約】      （修正有）【課題】稀にくる津波、洪水、土砂崩れなどの災害に備え、常時は折りたたんでコンパクトに収納し、有事には道具を使わず、簡単に短時間で組立てができる密封容器型の災害救命カプセルを提供する。【解決手段】本救命カプセルはパネル１，２，４，５，６で多面体の密封容器を形成し、パネルの要所に出入口ハッチ７、吸排気孔１９、のぞき窓２１、吊上げフックかけ２０を、内部につり革、すがり棒を備える。パネルの一部を折りたたむことで全体を平面に折りたたみ、折りたたんだパネルを開くことで全体が立体に組立たるものである。パネルの要所に立体を保持するフックと、フックを外す取っ手を備え、救命カプセルの自重を支えるキャスター２４を取付けることにより道具を使わず簡単な操作で、数十秒の短時間に組立て、折りたたみができる。【選択図】図１
2014043230.tif 000002
【特許請求の範囲】
【請求項１】
多角形の大小のパネルをヒンジで多面体に組合せ、ヒンジ部又は組合せ部の要所に多面体の立体を保持するフックを取付け、ヒンジ部及び組合せ部に防水措置を講じた密封容器の本体とパネルの要所に出入口ハッチ、吸排気孔、吊上げフックかけを取付け、パネル又は出入口ハッチの要所にのぞき窓を備えた災害用の救命カプセル。
【請求項２】
請求項１の救命カプセルの多面体の立体を保持するフックに、フックを外す取っ手を取付け、フックを外してパネルの一部を折りたたみ、道具を使わずに多面体を平面に折りたたむことができる救命カプセル。
【請求項３】
請求項２の救命カプセルに折りたたんだ状態からパネルを開き立体に組立てる取っ手をパネルの要所に取付け、また、救命カプセルの自重を支えるキャスターをパネルの要所に取付け、組立に道具を必要とせず、簡単な操作で組み立てることができる救命カプセル。
【発明の詳細な説明】
【技術分野】
【０００１】  本発明は津波や洪水、土砂崩れなどの災害から生命、身体を保護するための救命カプセルに関する。
【背景技術】
【０００２】  密封容器型の救命具は即座に使用が可能で外力からの衝撃に強いが、常時、原形のままで、保管時にも容積が変わらないので収納効率がわるい。【０００３】  ゴム製救命ボートは、常時はガスを抜き折りたたんで保管することができ収納効率が良い。しかし、有事に使用が可能な状態にするには、ガスの充填装置が必要で、また、ガスの充填に時間を要する。ゴム製救命ボートは、密封容器型の救命具に比べ外力からの衝撃に弱い。
【発明の概要】
【発明が解決しようとする課題】
【０００４】  常時はコンパクトに収納し、有事の組立てには道具を必要とせず、数十秒の短時間に、簡単な操作で組立てることができ、従来の密封容器型と同様の衝撃に強い生存可能な空間を確保する救命カプセルを提供する。
【課題を解決するための手段】
【０００５】  多角形の大小のパネルで三角錐の角を切除した多面体にヒンジで組合せた容器を形成し、パネルのヒンジ部及び組合せ部を防水シール又は防水シートで覆い密封容器を形成する。密封容器を構成するパネルの要所に出入口ハッチ、吸排気孔、のぞき窓、吊上げフックかけを取付け、パネル又は出入口ハッチの要所にのぞき窓を備える。【０００６】  本救命カプセルの形は四面体の三角錐をもとに、水、障害物の抵抗を少なくするため三角錐の角の一部又は全部を切除した多面体である。パネルの組合せにより多面体を形成することにより、立体を平面に折りたたむことができ、平面から立体へ組立ができるものである。四面体のうちの一面を折り曲げ、折り曲げる辺と接する面を三つの部分に分け、分けたそれぞれの面を折り曲げることによって、四面体が二つの面の間に他の二つの面を挟み込んだ平面に折りたたむことができる。折りたたむパネルの要所に立体を保持するフックを取付け、このフックにフックを外す取っ手を取付けることによって、道具を使わず、簡単に折りたたむことができる。【０００７】  本救命カプセルの組立ては、折りたたんだときとは逆に、折りたたんだパネルを開き、いったんパネルを開くとフックが掛かり立体を保持し、救命カプセルの自重を支えるキャスターをパネルの要所に取付けることによって、道具を使わず、簡単に組立てることができる。
【発明の効果】
【０００８】  稀にくる津波や洪水、土砂崩れなどの災害に対処するため、常時はコンパクトに収納し、有事に道具を使わず、数十秒の短時間で簡単に組立てることができる救命カプセルの提供は、災害からの救命の実益と憂いに対し大きな安心感を与えるものとなる。
【図面の簡単な説明】
【０００９】
【図１】  本救命カプセルの正面パネルと側面パネルを側面から見た図である。
【図２】  折りたたみパネルと正面パネルを側面から見た図である。
【図３】  折りたたみパネルと底面の底面パネルと連結パネルを側面から見た図である。
【図４】  底面パネルと連結パネルの取付け位置を示した図である。
【図５】  防水措置を示した図である。
【図６】  図１の正面パネルと側面パネルを折りたたんだ状態の図である。
【図７】  図３の折りたたみパネルと底面パネルを折りたたむ中途の状態の図である。
【図８】  図７の折りたたみパネルと底面パネルの折りたたみが完了した図である。
【発明を実施するための形態】
【００１０】  災害時に避難者が、他に避難手段がない場合を想定し、救命に必要な最小限の空間を提供するもので、多面体の密封容器に出入口ハッチ７、吸排気孔１９、のぞき窓２１その他下記装置を備えた救命カプセである。
【００１１】  本救命カプセルは、折りたたみができるようにするため、本体を平面のパネルで形成する三角錐の四面体を基本的な形とし、水、障害物の抵抗を少なくするため、三角錐の角をカットした多面体の救命カプセルである。四面体を基本形とすることにより、二面を折りたたみ全体を平面に折たたむことができ、折りたたんだ状態の二面を開くことによって全体を立体に組立てることができ、折りたたみ組立てが簡単にできる。
【００１２】  救命カプセルの主たる三角錐の四面は、正面パネル１、側面パネル２、折りたたみパネル３と底面パネル４で形成する。底面パネル４は連結パネル５と組合わさって一面を形成する。三角錐の角をカットした部分の角の面は保護パネル６で形成する。各パネルの構造は衝撃に強い素材と形で形成し、要所に補強桟を入れて外力に抵抗する構造とする。正面パネル１、側面パネル２の一方又は双方に出入口ハッチ７を取付ける。折りたたみパネル３は中央で二つ折りになるようにして、内側に、組立てたときにいったん開いたパネルが閉じないように、折りたたみパネル３のパネル相互を緊結する折りたたみパネルフック１４を取付ける。底面を形成する底面パネル４は三つの部分に分け、それぞれの部分が折りたたたまる構造とする。連結パネル５は多角形とし、折りたたんだ状態では、正面パネル１の内側に沿うようにヒンジ１０で取付け、組立てる時には、出入口で押し倒し、下方に押付けることによって底面パネル４と組合わさり密着する構造とする。底面パネル４の内側には連結パネル５が押し合わさった状態で緊結し、外力がかかっても外れず抵抗するように底面パネルフック１７を備える。保護パネル６は四片の三角形の小パネルで構成し、正面パネル１、側面パネル２、折りたたみパネル３、底面パネル４のそれぞれの箇所にヒンジ１０で取付け、四片の内の二片の相互を自在ヒンジ又はワイヤーで繋ぐ。
【００１３】  底面パネル４と正面パネル１、底面パネル４と側面パネル２、底面パネル４と折りたたみパネル３、正面パネル１と側面パネル２、折りたたみパネル３と正面パネル１、折りたたみパネル３と側面パネル２はそれぞれ組合せるパネル相互の折りたたんだ状態の間隔に応じたセパレータヒンジ１１で組合せる。セパレータヒンジ１１は、組立てた状態では各パネル相互の内角を６０度で緊結し、折りたたんだ状態では、パネル相互の間隔を保ちながら内角０度に閉じる構造にする。
【００１４】  各パネルの組合せ部、出入口ハッチ７、吸排気孔１９、のぞき窓２１には防水シール８を取付けて防水措置をする。角の面の防水措置は、各パネルの動きが複雑になるので、角の面の全面に防水シート９を取付けて水の浸入を防ぐ構造にする。防水シート９の取付け位置は、角の面の表面から内側に引いて取付け、防水シート９の外側に保護パネル６を取付け、防水シート９を衝撃から守るように取付ける。
【００１５】  出入口ハッチ７は底面パネル４より可能な高い位置に取付け、救命カプセルが穏やかな水面に浮かぶ場合において、出入口ハッチ７を開けたまま小船のように浮き具として使う位置に設ける。出入口ハッチ７の内外に衝撃で開くことのないロックを備えた出入口ハッチ取っ手１２を取付ける。
【００１６】  正面パネル１、側面パネル２、折りたたみパネル３又は出入口ハッチ７の要所にのぞき窓２１を備える。
【００１７】  救命カプセルを折りたたむために、各緊結箇所の立体を保持するフックにフックを外す取っ手を取付ける。底面パネルフック１７の外側にフックを外す底面パネルフック取っ手１８を取付ける。折りたたみパネルフック１４の外側にフックを外す折りたたみパネルフック取っ手１５を取付ける。折りたたみを容易するには、初めに救命カプセルの正面パネル１を下にした状態にする。次に底面パネルフック取っ手１８を引いて底面パネルフック１７を外し、連結パネル５を押し倒して正面パネル１の内側に納める。次に折りたたみパネルフック取っ手１５を引いて折りたたみパネルフック１４を外す。次に折りたたみパネル３と底面パネル４を同時に折りたたみ、救命カプセル全体を平面に折りたたんで折りたたみが完了する。
【００１８】  組立てを容易にするため、折りたたみパネル３の中央部外側の要所に折りたたんだ状態から平面に開くために折りたたみパネル取っ手１３を取付ける。連結パネル５の中央部外側に連結パネル５を底面パネル４に引きつけて緊結するばあいの連結パネル取っ手１６を取付ける。
【００１９】  組立て時に救命カプセルを持ち上げることなく組立てるために、正面パネル１、側面パネル２、折りたたみパネル３、底面パネル４の要所に救命カプセルの自重を支えるキャスター２４を取付ける。
【００２０】  救命カプセルの組立ては、初めに底面パネル４を下にしてキャスター２４に救命カプセルの全荷重がかかる状態に立てる。折りたたみパネル３を開き、折りたたみパネル取っ手１３を引き、折りたたみパネルフック１４が掛かるまで完全に開く。出入口ハッチ７を開け連結パネル５を内側に押し倒し、連結パネル５が底面パネル４と密着し底面パネルフック１７が掛かるまで押し付けて組立が完了する。避難者は組立て後、救命カプセルの中に入り出入口ハッチ７を内側から閉めて避難が完了する。
【００２１】  救命カプセルは数人を短時間収容することを想定するものである。救命カプセルが水面に浮かび外気を取入れることができる状況になった場合に、外気を取り入れる吸排気孔１９を備える。吸排気孔１９は吸排気簡易ポンプを差込み、吸排気をする孔で水の浸入を防ぐ措置をする。
【００２２】  正面パネル１又は側面パネル２の内側にすがり棒２２を備え、上端は自在金具で固定し、下端は取外しができるようにする。底面パネル４の組立てた状態の中央部にすがり棒受け金具を取付ける。すがり棒受け金具は円筒の一部を凹に欠いた固定金具と円筒の一部を凹に欠いた回転金具を備え、回転する凹金具を回すことによってすがり棒２２の下端を固定したり外したりすることができる構造とする。
【００２３】  救命カプセルの内部の各パネルの要所につり革２３を備える。
【００２４】  救命カプセルの外部のパネルの要所に、救命カプセルに避難者を収容したまま吊上げることができるよう、吊上げフックかけ２０を取付ける。
【符号の説明】
【００２５】１    正面パネル
２    側面パネル
３    折りたたみパネル
４    底面パネル
５    連結パネル
６    保護パネル
７    出入口ハッチ
８    防水シール
９    防水シート
１０  ヒンジ
１１  セパレータヒンジ
１２  出入口ハッチ取っ手
１３  折りたたみパネル取っ手
１４  折りたたみパネルフック
１５  折りたたみパネルフック取っ手
１６  連結パネル取っ手
１７  底面パネルフック
１８  底面パネルフック取っ手
１９  吸排気孔
２０  吊上げフックかけ
２１  のぞき窓
２２  すがり棒
２３  つり革
２４  キャスター
【図１】
2014043230.tif 000003
【図２】
2014043230.tif 000004
【図３】
2014043230.tif 000005
【図４】
2014043230.tif 000006
【図５】
2014043230.tif 000007
【図６】
2014043230.tif 000008
【図７】
2014043230.tif 000009
【図８】
2014043230.tif 000010